(57)【特許請求の範囲】
【請求項１】
主走査方向に亘って原稿の照射部に光を照射する光源と、
原稿で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して、前記第１非球面ミラーからの光を反射させるアレイ状に配置したアパーチャミラーと、
このアパーチャミラーからの光を入射し、収束光として反射させるアレイ状に配置した凹形の第２非球面ミラーと、
この第２非球面ミラーで収束される光の光路上に設けられ、原稿面に対して垂直方向に光を反射するアレイ状に配置した第２ミラーと、
この第２ミラーからの光を入射し、前記開口部からの光に対応して結像する受光領域を有するアレイ状に配置した受光部と、
少なくとも前記第１非球面ミラーと前記第２非球面ミラーとを副走査方向の一方側に設置し、前記アパーチャミラーを副走査方向の他方側に設置する筐体とを備え、
前記第１ミラー、前記第１非球面ミラー、前記アパーチャミラー、前記第２非球面ミラー、前記第２ミラー及び前記受光部は、隣接するアレイ毎に交互にシンメトリー構造で配置され、
前記第１ミラーに入射した光は隣接するアレイ毎に異なる副走査方向に前記散乱光を反射させることを特徴とする画像読取装置。
【請求項２】
主走査方向に亘って原稿の照射部に光を照射する光源と、
原稿で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して、前記第１非球面ミラーからの光を反射させるアレイ状に配置したアパーチャミラーと、
このアパーチャミラーからの光を入射し、収束光として反射させるアレイ状に配置した凹形の第２非球面ミラーと、
この第２非球面ミラーで収束される光の光路上に設けられ、原稿面に対して垂直方向に光を反射するアレイ状に配置した第２ミラーと、
この第２ミラーからの光を入射し、前記開口部からの光に対応して結像する受光領域を有する受光部と、
少なくとも前記第１非球面ミラーと前記第２非球面ミラーとを副走査方向の一方側に設置し、前記アパーチャミラーを副走査方向の他方側に設置する筐体とを備え、
前記第１ミラーに入射した光は隣接するアレイ毎に異なる副走査方向に前記散乱光を反射させ、前記第２非球面ミラーに入反射する光線束の周囲に、隣接するアレイから入射する光を遮光する遮光板を設けたことを特徴とする画像読取装置。
【発明の詳細な説明】
【技術分野】
【０００１】
この発明は、複写機や金融端末装置などの画像読み取りや画像識別に用いる画像読取装置に関するものである。
【背景技術】
【０００２】
画像情報を読み取る画像読取装置として、例えば、特開平１１−８７４２号公報図２（特許文献１参照）には、ミラーアレイを用いた読取装置が開示されている。
【０００３】
また、特開２００３−３３１２６７号公報図２（特許文献２参照）には、実装基板上に存在する複数の被検査部位を一回の主走査で検査するに適したテレセントリック光学系並びに照明系を有する読取装置が開示されている。
【０００４】
また、特開平５−３２８０２４号公報図１（特許文献３参照）には、ビ−ムを被読取対象物Ｇに照射する光源ランプ２４と、被読取対象物Ｇからの光ビ−ムを伝達する光学手段２０，３０と、この光学手段２０，３０からの光ビ−ムを、所定距離離れた複数の光束に分割する光学素子４４と、この光学素子４４により分割された光ビ−ムの各々を受光する位置に、異なる色フィルタを介して設けられた複数の検出部４６ｒ，４６ｇ，４６ｂを具備した画像読取装置が開示されている。
【０００５】
また、特開昭５７−２０１２１５号公報図１（参考文献４参照）には、物体面１１側から順に遮光板１３、第１板状レンズアレイ１４および第２板状レンズアレイ１５が重ねられて構成した結像光学装置が開示されている。
【０００６】
【特許文献１】特開平１１−８７４２号公報（第２図）
【０００７】
【特許文献２】特開２００３−３３１２６７号公報（第２図）
【０００８】
【特許文献３】特開平５−３２８０２４号公報（第１図）
【０００９】
【特許文献４】特開昭５７−２０１２１５号公報（第１図）
【発明の開示】
【発明が解決しようとする課題】
【００１０】
しかし、特許文献１に記載のものは、原稿１０からホトセンサアレイ１５に至る光路上のミラーアレイが原稿読取部の読取面に対する直角軸と、前記ホトセンサアレイの受光面に対する直角軸が平行になるように第１および第２ミラーアレイの光軸の傾きを決定するように構成されているものの、ミラーアレイの具体的設置位置や光軸の傾きに関する詳細な記載が無い。
【００１１】
特許文献２に記載のものは、落射照明光源１と側面照明光源４を具備し、シリンドリカルレンズからなる第１レンズ９と撮影系の第２レンズ７で構成され、第１レンズ９を被検査基板から５０ｍｍ以内に近接させ且つ第一レンズ９の後焦点と第２レンズ７の入射瞳位置を一致させることによりコンパクトなテレセントリック光学系を得ているものの、具体的設置位置や走査方法に関する詳細な記載が無い。
【００１２】
また、特許文献３に記載のものは、３ラインＣＣＤセンサ４６でＲＧＢ画像情報を読み取る焦点距離を可変する集束用光学素子４２を必要とするため構造が複雑になるという課題があった。
【００１３】
また、特許文献４に記載のものは、レンズ素子以外の部分から光が入射することを防止する効果はあるが、遮光板１３以外にジグザグ形の遮光仕切板１６を必要とするのでプラスチックで一体形成する場合、遮光板１３の千鳥状の開口１７周辺に遮光仕切板１６を一体形成する構成は困難と考えられるので結像光学装置の構造が複雑になるという課題があった。
【００１４】
この発明は、上述のような問題点を解決するためになされたものであり、焦点深度が深く、かつ小型である画像読取装置を提供すると共に簡単な遮光構造で隣接するレンズ素子や外部からの不要な光が入射することによる画像の劣化を防止できる画像読取装置を提供することを目的とする。
【課題を解決するための手段】
【００１５】
請求項１に係る発明の画像読取装置は、主走査方向に亘って原稿の照射部に光を照射する光源と、原稿で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して、前記第１非球面ミラーからの光を反射させるアレイ状に配置したアパーチャミラーと、このアパーチャミラーからの光を入射し、収束光として反射させるアレイ状に配置した凹形の第２非球面ミラーと、この第２非球面ミラーで収束される光の光路上に設けられ、原稿面に対して垂直方向に光を反射するアレイ状に配置した第２ミラーと、この第２ミラーからの光を入射し、前記開口部からの光に対応して結像する受光領域を有するアレイ状に配置した受光部と、少なくとも前記第１非球面ミラーと前記第２非球面ミラーとを副走査方向の一方側に設置し、前記アパーチャミラーを副走査方向の他方側に設置する筐体とを備え、前記第１ミラー、前記第１非球面ミラー、前記アパーチャミラー、前記第２非球面ミラー、前記第２ミラー及び前記受光部は、隣接するアレイ毎に交互にシンメトリー構造で配置され、前記第１ミラーに入射した光は隣接するアレイ毎に異なる副走査方向に前記散乱光を反射させることを特徴とするものである。
【００１６】
請求項２に係る発明の画像読取装置は、主走査方向に亘って原稿の照射部に光を照射する光源と、原稿で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して、前記第１非球面ミラーからの光を反射させるアレイ状に配置したアパーチャミラーと、このアパーチャミラーからの光を入射し、収束光として反射させるアレイ状に配置した凹形の第２非球面ミラーと、この第２非球面ミラーで収束される光の光路上に設けられ、原稿面に対して垂直方向に光を反射するアレイ状に配置した第２ミラーと、この第２ミラーからの光を入射し、前記開口部からの光に対応して結像する受光領域を有する受光部と、少なくとも前記第１非球面ミラーと前記第２非球面ミラーとを副走査方向の一方側に設置し、前記アパーチャミラーを副走査方向の他方側に設置する筐体とを備え、前記第１ミラーに入射した光は隣接するアレイ毎に異なる副走査方向に前記散乱光を反射させ、前記第２非球面ミラーに入反射する光線束の周囲に、隣接するアレイから入射する光を遮光する遮光板を設けたことを特徴とするものである。
【発明の効果】
【００１７】
この発明に係る画像読取装置によれば、第１非球面ミラーからの光を反射させるアパーチャミラーと、このアパーチャミラーからの光を入射し、収束光として反射させる第２非球面ミラーとを副走査方向の一方側に設置し、アパーチャミラーを副走査方向の他方側に設置したので長い光路長であっても筐体内で折り返し反射させることで被写体深度が深いにも係らずコンパクトな画像読取装置を得ることが可能である。
【００１８】
この発明に係る画像読取装置によれば、第２非球面ミラーに入反射する光線束の周囲に、隣接するアレイから入射する光を遮光する遮光板を設けることで個々のアレイの境界領域画像を忠実に再現できる効果がある。
【００１９】
また、第２非球面ミラーの光路が隣接するアレイの光路とは不連続となり、不連続領域に遮蔽板を設けても良いので、遮光板を構成する部材の厚みや副走査方向に延在させる遮光板のサイズの設計自由度が向上するという利点がある。
【発明を実施するための最良の形態】
【００２０】
実施の形態１．
以下、この発明の実施の形態１に係る画像読取装置ついて図１を用いて説明する。図１は、実施の形態１に係る画像読取装置の断面構成図である。図１において、１は文書やメディアなどの被照射体（原稿とも呼ぶ）、２は被照射体１を支持する天板、３は光を伝搬させる導光体、３ａは導光体３の光出射部（出射部）、４は光を通過させる透過体、５は被照射体１に対する光の照射部、６は照射部５からの散乱光を副走査方向に反射させる第１ミラー、７は第１ミラー６からの反射光を受光する凹型の第１レンズミラー（第１レンズ  第１非球面ミラーとも呼ぶ）、８は第１レンズ７からの平行光を受光するアパーチャミラー、９はアパーチャミラー８からの反射光を受光する凹型の第２レンズミラー（第２レンズ  第２非球面ミラーとも呼ぶ）、１０は周囲が遮光され、アパーチャミラー８に入反射する光の色収差を緩和するアパーチャミラー８の表面に設けた開口部、１１は第２レンズ９からの光を受光し、反射させる第２ミラーである。
【００２１】
１２は第２レンズ９からの反射光を受光し、光電変換する光電変換回路及びその駆動部からなるＭＯＳ半導体構成のセンサＩＣ、１３はセンサＩＣ１２を載置するセンサ基板、１４はセンサＩＣ１２で光電変換された信号を信号処理する信号処理ＩＣ（ＡＳＩＣ）、１５はセンサ基板１３に載置されたコンデンサ、抵抗器などの電子部品、１６はセンサ基板１３を含み光学系を収納する筐体である。
【００２２】
図２は、図１に示した断面図の主走査方向の別の位置から見た図であり、光学系部分は図１と読取位置に対してシンメトリーの構造となっている。図中、図１と同一符号は同一又は相当部分を示す。図３は、この発明の実施の形態１に係る画像読取装置に搭載する６ｍｍピッチでアレイ状に設置した光学系の模式平面図であり、主走査方向に延在する読み取りラインを中心に受光ラインが両側に形成され、隣接する各アレイは交互にシンメトリーの構造となっている。アレイ中心で読み取られた画像を形成する光線は、アレイ中央付近を折り返し反射し、アレイ境界付近で読み取られた画像を形成する光線は、アレイ反対方向の受光ラインで受光される。
【００２３】
図４は、光学レンズ系の構成図であり、１７は第１レンズ７及び第２レンズ９を一体的に配置するレンズ受け台、１８はレンズ受け台１７上にアレイ状に設置した第１レンズ７及び第２レンズ９相互の光の干渉を防止する遮光板である。レンズ受け台１７、第１レンズ７及び第２レンズ９はアクリル樹脂で構成し、レンズのミラー面を除き黒色遮光材料を塗布している。なお、レンズ受け台１７、第１レンズ７及び第２レンズ９はアクリル樹脂で一体成形しても良い。図中、図１と同一符号は同一又は相当部分を示す。
【００２４】
図５は、光学レンズ系とミラー系を含めた光学系の模式側面図であり、アパーチャミラー８を挟んで対向するように第１ミラー６と第２ミラー１１とが隣接するアレイに対して互い違いの構造とし帯状に連続配置される。アパーチャミラー８の表面は黒色樹脂又は金属薄板に孔を設け開口部１０を６ｍｍピッチで離散的にアレイ状に設置している。図中、図１と同一符号は、同一又は相当部分を示す。
【００２５】
図６は、この発明の実施の形態１に係る画像読取装置の平面図であり、１９は導光体３に光を入射させる光源部、２０は画像読取装置を駆動する入出力インターフェース用のコネクタである。
【００２６】
図７はセンサ基板１３の平面図であり、１９ａは光源部１９とセンサ基板１３のコネクタ２０とを電気接続する光源接続部である。
【００２７】
図８はセンサＩＣ１２の平面図であり、２１は１画素に対して赤色（Ｒ）、緑色（Ｇ）及び青色（Ｂ）からなるゼラチン材などで構成したＲＧＢフィルタを受光面に配置した受光部（セル）、２２はセル２１に入射した光をＲＧＢごとに光電変換し、その出力を保持し、駆動する光電変換・ＲＧＢシフトレジスタ駆動回路、２４はセンサＩＣ１２に信号や電源を入出力するワイヤボンディングパッド部である。
【００２８】
図９は導光体３を含む光源部分を説明する図であり、２５は導光体３の出射部３ａから主走査方向に亘って光を均一に照射させるための光散乱層、２６は導光体３の両端に設置した電極部、２７は光源であり、それぞれ、赤色（Ｒ）、緑色（Ｇ）及び青色（Ｂ）波長を発するＬＥＤチップからなる。すなわち、図１０に示すように電極部２６にはＲ光源（２７Ｒ）、Ｂ光源（２７Ｂ）及びＧ光源（２７Ｇ）が設置される。また、光散乱層２５は光源２７が導光体３の両端に設置する場合には、主走査方向の中央を幅広とし、片側設置する場合には、光源２７から遠ざかるに連れて幅広とし、出射部３ａからの光の放出を均一にする。
【００２９】
なお、各ＲＧＢ光源２７の光学波長は、受光部２１に設けられたＲＧＢフィルタの各ＲＧＢ色の波長と略一致している。図６〜図１０中、図１と同一符号は同一又は相当部分を示す。
【００３０】
図１１は、実施の形態１に係る画像読取装置のブロック構成図であり、３０はセンサＩＣ１２で光電変換された信号を増幅する増幅器、３１は増幅された光電変換出力をアナログ・デジタル変換するアナログデジタル変換器（Ａ／Ｄ変換器）、３２はＲＧＢ各色のデジタル出力を信号処理する信号処理部、３３は画像読取装置（ＣＩＳとも呼ぶ）とシステム側との信号をやりとりするシステムインターフェース、３４は各色のイメージ情報を収納するＲＡＭ、３５はＣＰＵ、３６は光源駆動回路である。
【００３１】
次にこの発明の実施の形態１に係る画像読取装置の動作について説明する。図１１において、システム本体からのシステムコントロール信号（ＳＹＣ）とシステムクロック信号（ＳＣＬＫ）信号に基づき、システムインターフェース３３を経由して信号処理ＩＣ（ＡＳＩＣ）１４のクロック信号（ＣＬＫ）とこれに同期したスタート信号（ＳＩ）がセンサＩＣ１２に出力され、そのタイミングによりセンサＩＣ１２から各画素（ｎ）の連続したアナログ信号が読み取りライン（ｍ）毎に出力される。アナログ信号は図１２に示す例では７２００画素分を順次出力し、図１３に示す分割出力とした例では１４４画素を単位として出力する。
【００３２】
増幅器３０で増幅されたアナログ信号は、Ａ／Ｄ変換器３１でＡ／Ｄ変換してデジタル信号に変換され、Ａ／Ｄ変換後に各画素（ビット）の信号出力をシェーディング補正や全ビット補正を行う補正回路で処理される。この補正は、あらかじめ白原稿などの基準テストチャートで読み込んだデータを均一化処理した補正データを記憶したＲＡＭ３４から補正データを読み出し、Ａ／Ｄ変換されたイメージ情報に相当するデジタル信号を演算加工することにより行う。このような一連の動作はＣＰＵ３５の制御により行われる。この補正データは、センサＩＣ１２の各素子間の感度ばらつきや各光源２７の不均一性を補正するためのものである。
【００３３】
次に実施の形態１に係る画像読取装置の駆動タイミングについて図１１及び図１４を用いて説明する。図１１及び図１４において、ＣＰＵ３５に連動してＡＳＩＣ１４は光源点灯信号（ＬＣ）をＯＮし、それを受けて光源駆動回路３６は各光源２７に所定時間電源を供給することにより、ＲＧＢ光源２７は白色光を発する。連続的に駆動するＣＬＫ信号に同期してスタート信号（ＳＩ）はセンサＩＣ１２のＲＧＢ駆動回路を形成する各素子（画素）のシフトレジスタの出力を順次ＯＮし、対応するスイッチ群がＳＩＧ（ＳＯ）ラインを順次開閉することでＣＬＫに同期したＲＧＢのイメージ情報（画像出力）を得る。この画像出力は前ラインで読み込み蓄積した各イメージの出力である。なお、ＣＮＴはカラー／モノクロ切替信号であり、通常、カラーモードの場合はハイレベルとする。１ラインの各色読取り区間にはＢＬＫ（ブランキング）時間を設定し、露光時間の設定可変を行う。従ってＢＬＫ区間はすべてのＳＩＧ（ＳＯ）は開放される。
【００３４】
次に順次出力される画像信号ＳＩＧ（ＳＯ）について図１５を用いて説明する。図１５は主走査方向に対する光の経路を説明する原理図であり、照射部５は被照射体１の厚みにより、搬送面と直角方向に対して変化するが、被照射体１のイメージ情報となる散乱光は副走査方向に反射させる第１ミラーを介して被照射体（原稿）１の面に点光源を仮定したしたときに光をコリメートして、略平行光線束として反射させるレンズに入射する。よって、アレイ状に配列した各レンズからの光は、６ｍｍピッチで離散的に設置したアパーチャー（窓）上には略平行光線束が照射される。さらに窓から放射する光は各アレイごとに光の干渉を防止する遮光板１８を設けたレンズを介して光束ごとにセンサＩＣ１２に入射するので画像情報はセンサＩＣ１２の受光面では倒立像となって結像する。従って、各センサＩＣ１２の受光部（画素とも呼ぶ）２１に結像される画像情報は原稿など被照射体１に対して逆像となる。ＳＩＧ（ＳＯ）信号はセンサＩＣ１２の駆動回路に設けられたシフトレジスタ順次スイッチング信号によりＲＧＢごとに３系列でアナログ信号が同時に出力される。
【００３５】
図１６は、アレイ状に配列した光学系の同一副走査方向に光を放射するアレイの主走査方向に対する光の経路を説明する原理図であり、２列に平行に併設されたセンサＩＣ１２（１２ａ、１２ｂで表示）に実効入射する光は、隣接するアレイ毎に異なることを示す。
【００３６】
図１７は、Ａ／Ｄ変換されたＲＧＢ信号の逆像データの並べ替えと信号処理を説明する図であり、１４４ビット毎にデータを並べ替え、その後信号処理を行う場合を示す。図１７において、各々のＲＧＢ（ＳＯ）信号は、シフトレジスタ回路で左シフトさせたデータをシフトレジスタ回路で構成された各セルに収納し、ラッチ（ＬＡ）し、その後、ライト信号（ＷＲ）で順次、センサＩＣ１２の１番目のセルからＳＩＧ（ＳＯ）として並べ替えたデータをＲＡＭ３４に収納し、補正演算処理が行われる。本実施の形態１では２系列のセンサＩＣ１２ａ、１２ｂからの信号を信号処理するので、次段の比較・照合・間引・修復回路でさらに信号処理する。
【００３７】
図１８は、比較・照合・間引・修復回路を説明するブロック図である。逆像データ並べ替え後、ＲＡＭ３４の一部であるＲＡＭ１、ＲＡＭ２領域に収納したデータを順次出力としてシフトレジスタに入力し、アレイ境界領域のそれぞれのＲＡＭ３４（ＲＡＭ１、ＲＡＭ２）データを比較・照合する。比較・照合は、隣接するアレイ毎に副走査方向に光の経路を反転させているので、同じ側にあるアレイと反対側にあるアレイとの空間や遮光壁となる遮光板１８による幾分の不要光による反射などによる主走査方向のゴーストを改善するためであり、シフトレジスタの該当位置にある画素の情報を比較後差分し、画像データ出力の重み付けを行う。最外画素のデータほど重み付けを大きくし、内部画素になるほど重み付けを小さくする。また、内部画素領域では、一方の正規反射された光の領域は正規データとし、正規反射されない光の領域は無効データとする。これらのデータはマルチプレクサ回路でアドレス変換してから出力される。
【００３８】
この補正演算処理された画像データは、特開平８−２８９６６号公報図１に示すようにデータ解析、データ修復などを含むカラーマネジメントシステムで色変換及び色管理エンジンなどにより、システムインターフェース３３を介してＳＩＧ（ＲＧＢ）カラーデータとして出力される。
【００３９】
図１９は副走査方向の光学距離について説明する図であり、第１レンズ７の一方の焦点位置は、変動する被照射体１の照射部５と略一致しており、他方の焦点位置はアパーチャミラー８と一致している。また、第２レンズ９の一方の焦点位置は、アパーチャミラー８と一致しており、他方の焦点位置は受光面と一致している。すなわち、Ｌ３＝Ｌ１＋Ｌ２、Ｌ４＝Ｌ５＋Ｌ６、Ｌ３＝Ｌ４＋Ｂの関係がある。図２０は光の経路に加えて光束を具現化した模式図であり、アパーチャミラー８には平行光が入反射することを示している。
【００４０】
図２１は本実施の形態１における隣接するアレイ状の光学系を合わせた副走査方向の光の経路を具現化したものであり、第１レンズ７から第２レンズ９までの光学距離Ｌ３及びＬ４は略平行光である。なお、第１ミラー６から副走査方向に反射させる散乱光はミラー対象であれば隣接するアレイ毎にどちらの方角に放射しても良く、受光面に設置される受光部２１もＬ４＝Ｌ５＋Ｌ６を満足すれば任意の位置でよい。
【００４１】
以上から実施の形態１に係る画像読取装置によれば、第１ミラーに入射した光は互いに隣接するアレイ毎に異なる副走査方向に散乱光を反射させることで、隣接する光学系の光路を互いに副走査方向の反対側に振り分けることになる。従って、第２非球面ミラーに入反射する光線束の周囲に、隣接するアレイから入射する光を遮光する遮光板を設けることで個々のアレイの境界領域画像を忠実に再現できる効果がある。また、第２非球面ミラーの光路が隣接するアレイの光路とは異なるので、遮蔽板は隣接するアレイ側にはみ出して設けても良いので、遮光板を構成する部材の厚みや副走査方向に延在させる遮光板の設計自由度が向上する。
【図面の簡単な説明】
【００４２】
【図１】この発明の実施の形態１に係る画像読取装置の断面図である。
【図２】この発明の実施の形態１に係る画像読取装置の断面図である。
【図３】この発明の実施の形態１に係る画像読取装置の光学系の模式平面図である。
【図４】この発明の実施の形態１に係る画像読取装置の光学レンズ系の構成図である。
【図５】この発明の実施の形態１に係る画像読取装置の光学レンズ系とミラー系を含めた光学系の模式側面図である。
【図６】この発明の実施の形態１に係る画像読取装置の平面図である。
【図７】この発明の実施の形態１に係る画像読取装置のセンサ基板の平面図である。
【図８】この発明の実施の形態１に係る画像読取装置のセンサＩＣの平面図である。
【図９】この発明の実施の形態１に係る画像読取装置の光源部分を説明する図である。
【図１０】この発明の実施の形態１に係る画像読取装置の光源部分を説明する図である。
【図１１】この発明の実施の形態１に係る画像読取装置のブロック構成図である。
【図１２】この発明の実施の形態１に係る画像読取装置のセンサＩＣ同士の結線図である。
【図１３】この発明の実施の形態１に係る画像読取装置のセンサＩＣ同士の他実施例による結線図である。
【図１４】この発明の実施の形態１に係る画像読取装置のタイミングチャートである。
【図１５】この発明の実施の形態１に係る画像読取装置の光の経路を説明する原理図である。
【図１６】この発明の実施の形態１に係る画像読取装置の光の経路を説明する原理図である。
【図１７】この発明の実施の形態１に係る画像読取装置の逆像データの並べ替え及び信号処理を説明する図である。
【図１８】この発明の実施の形態１に係る画像読取装置の比較・照合・間引・修復回路を説明するブロック図である。
【図１９】この発明の実施の形態１に係る画像読取装置の副走査方向の光経路を説明する図である。
【図２０】この発明の実施の形態１に係る画像読取装置の副走査方向の具現化した光経路を説明する図である。
【図２１】この発明の実施の形態１に係る画像読取装置の副走査方向の具現化した光経路を説明する図である。
【符号の説明】
【００４３】
１・・被照射体（原稿）  ２・・天板  ３・・導光体  ３ａ・・出射部  ４・・透過体
５・・照射部  ６・・第１ミラー  ７・・第１レンズ（第１非球面ミラー）
８・・アパーチャミラー  ９・・第２レンズ（第２非球面ミラー）  １０・・開口部
１１・・第２ミラー  １２・・センサＩＣ  １３・・センサ基板
１４・・信号処理ＩＣ（ＡＳＩＣ）  １５・・電子部品  １６・・筐体
１７・・レンズ受け台  １８・・遮光板
１９・・光源部  １９ａ・・光源接続部
２０・・コネクタ  ２１・・受光部（セル  画素）
２２・・光電変換・ＲＧＢシフトレジスタ駆動回路
２４・・Ｗ／Ｂパッド部  ２５・・光散乱層  ２６・・電極部
２７・・光源（ＬＥＤチップ）  ２７Ｒ・・Ｒ光源  ２７Ｇ・・Ｇ光源
２７Ｂ・・Ｂ光源  ３０・・増幅器  ３１・・Ａ／Ｄ変換器  ３２・・信号処理部
３３・・システムインターフェース回路  ３４・・ＲＡＭ（ランダムアクセスメモリ）
３５・・ＣＰＵ  ３６・・光源駆動回路
【図１】
0004809859.tif 000002
【図２】
0004809859.tif 000003
【図３】
0004809859.tif 000004
【図４】
0004809859.tif 000005
【図５】
0004809859.tif 000006
【図６】
0004809859.tif 000007
【図７】
0004809859.tif 000008
【図８】
0004809859.tif 000009
【図９】
0004809859.tif 000010
【図１０】
0004809859.tif 000011
【図１１】
0004809859.tif 000012
【図１２】
0004809859.tif 000013
【図１３】
0004809859.tif 000014
【図１４】
0004809859.tif 000015
【図１５】
0004809859.tif 000016
【図１６】
0004809859.tif 000017
【図１７】
0004809859.tif 000018
【図１８】
0004809859.tif 000019
【図１９】
0004809859.tif 000020
【図２０】
0004809859.tif 000021
【図２１】
0004809859.tif 000022